(57)【要約】【課題】簡易な構成で、カフと本体ケースとを接続する接続管の収容性が向上される血圧計、を提供する。【解決手段】血圧計１００は、空気が供給される膨縮可能な空気袋１５１を有し、筒形状の形態を取ることが可能なカフ１５０と、空気袋１５１を膨縮させる血圧測定用エア系コンポーネントを収容する本体ケース２１と、空気袋１５１と血圧測定用エア系コンポーネントとの間を接続し、空気を流通させるためのエア管３１とを備える。エア管３１の、カフ１５０と本体ケース２１との間の一部区間には、他の区間よりもエア管３１の長手方向に沿った曲げ剛性が大きくなる高剛性部３５が設けられる。【選択図】図１
2009225864.tif 000002
【特許請求の範囲】
【請求項１】
流体が供給される膨縮可能な流体袋を有し、筒形状の形態を取ることが可能なカフと、
前記流体袋を膨縮させる膨縮機構部を収容する本体ケースと、
前記流体袋と前記膨縮機構部との間を接続し、流体を流通させるための接続管とを備え、
前記接続管の、前記カフと前記本体ケースとの間の一部区間には、他の区間よりも前記接続管の長手方向に沿った曲げ剛性が大きくなる高剛性部が設けられる、血圧計。
【請求項２】
前記接続管は、流体を流通させるための流体通路を形成する第１管部材と、前記高剛性部に設けられ、前記第１管部材の外周上に配置される第２管部材とを有する、請求項１に記載の血圧計。
【請求項３】
前記接続管は、相対的に大きい曲げ剛性を有し、前記高剛性部に設けられる第３管部材と、相対的に小さい曲げ剛性を有し、前記第３管部材に連結される第４管部材とを有する、請求項１または２に記載の血圧計。
【請求項４】
前記接続管の長手方向に間隔を隔てた位置に、複数の前記高剛性部が設けられる、請求項１から３のいずれか１項に記載の血圧計。
【請求項５】
前記高剛性部の長さは、筒形状の軸方向における前記カフの長さ以上である、請求項１から４のいずれか１項に記載の血圧計。
【請求項６】
前記高剛性部と前記カフとの間における前記接続管の長さは、筒形状の軸方向における前記カフの長さ以上である、請求項１から５のいずれか１項に記載の血圧計。
【請求項７】
前記接続管が前記カフから延出する位置は、筒形状の軸方向における前記カフの中心に配置される、請求項１から６のいずれか１項に記載の血圧計。
【請求項８】
前記高剛性部は、前記接続管の長手方向における一端が把持された場合に略直線状に形状が保持される曲げ剛性を有する、請求項１から７のいずれか１項に記載の血圧計。
【発明の詳細な説明】
【技術分野】
【０００１】
この発明は、一般的には、血圧計に関し、より特定的には、カフと本体ケースとが接続管により接続される血圧計に関する。
【背景技術】
【０００２】
従来の血圧計に関して、たとえば、実開昭６２−１３０６０６号公報には、腕帯をまとまりよく保持するとともに、外部からのほこり等から腕帯を守ることを目的とした血圧計セットが開示されている（特許文献１）。特許文献１に開示された血圧計セットにおいては、血圧計本体に、血圧計用腕帯を収納するための収納ケースが取り付けられる。血圧計を使用しない状態では、腕帯に付属するエアー管およびマイクロホンプラグは、腕帯とともに収納ケースに収納される。
【０００３】
また、特開平３−９７４４３号公報には、送排気管の全長を使用状態において最適状態に保ち、かつ信号線が邪魔になることがなく、かつ送排気管を小さい収容容積で容易に収容することを目的とした血圧測定装置が開示されている（特許文献２）。特許文献２に開示された血圧測定装置においては、カフ内部の空気袋と装置本体との間が、送気と定速排気とを行なう送気管により接続されている。送気管は、螺旋状にカールされており、この送気管に沿うように、カフ内のセンサと装置本体とを電気的に接続する信号線が設けられている。
【０００４】
また、特開２００７−４４４４４号公報には、カフと本体ケーシングとを接続するエア管の収容性に優れた血圧計測装置が開示されている（特許文献３）。特許文献３に開示された血圧計測装置は、カフと本体ケーシングとを接続する接続管を有する。血圧計測装置には、本体ケーシングから引き出されている接続管を、本体ケーシング内の接続管収容部に引き込むための引き込み手段が設けられている。引き込み手段としては、たとえばボビンに接続管を巻き取る構成が開示されている。
【特許文献１】実開昭６２−１３０６０６号公報
【特許文献２】特開平３−９７４４３号公報
【特許文献３】特開２００７−４４４４４号公報
【発明の開示】
【発明が解決しようとする課題】
【０００５】
近年、高血圧を要因とする生活習慣病の早期発見や血圧管理を目的として、血圧計の使用が、家庭等において広く普及している。測定の頻度が高まるにつれて、非使用時のカフ、エア管および本体ケースの収容性が強く求められており、上述の特許文献にも、これらの収容性の向上を図った各種の血圧計が開示されている。
【０００６】
しかしながら、上述の特許文献１に開示された血圧計セットにおいては、腕帯の収容性については種々の考慮がされているが、エア管の収容性についてはほとんど考慮がされていない。また、エア管の収容作業についてはその一切がユーザの手に委ねられることになり、これを無造作に取り扱った場合には、エア管が折り曲げられたり、捩じ曲げられたり、もしくは本体ケースと開閉カバーとの間に挟まれたりするおそれがある。このような場合、エア管の破損につながることになる。
【０００７】
また、上述の特許文献２に開示された血圧測定装置においては、送気管が螺旋状に復元力を有するように熱加工されている。しかしながら、送気管が螺旋状にまとめられても、その容積はある程度の大きさとなるため、収容性が十分に改善されたとは言い難い。また、螺旋状に熱加工された複合管の復元力によって、カフの装着時、常に上腕にテンションがかかることとなるため、測定精度に悪影響を及ぼしたり、ユーザへの負担が懸念される。
【０００８】
また、上述の特許文献３に開示された血圧計測装置によれば、エア管の収容性は改善されるものの、構成が複雑になり、部品点数や製造コストが増加することになる。
【０００９】
そこでこの発明の目的は、上記の課題を解決することであり、簡易な構成で、カフと本体ケースとを接続する接続管の収容性が向上される血圧計を提供することである。
【課題を解決するための手段】
【００１０】
この発明に従った血圧計は、筒形状の形態を取ることが可能なカフと、本体ケースと、接続管とを備える。カフは、流体が供給される膨縮可能な流体袋を有する。本体ケースは、流体袋を膨縮させる膨縮機構部を収容する。接続管は、流体袋と膨縮機構部との間を接続し、流体を流通させるために設けられている。接続管の、カフと本体ケースとの間の一部区間には、他の区間よりも接続管の長手方向に沿った曲げ剛性が大きくなる高剛性部が設けられる。
【００１１】
このように構成された血圧計によれば、接続管の一部区間に高剛性部を設けることにより、ユーザは、高剛性部に追従させて接続管の他の区間を扱うことが可能となり、接続管を容易にコンパクトにまとめることができる。たとえば、筒形状を有するカフの内側に高剛性部を挿入することにより、接続管の他の区間も高剛性部に引き連れられてカフ内部に挿入されるため、接続管をカフ内部にコンパクトにまとめることができる。したがって、簡易な構成で、接続管の収容性を向上させることができる。
【００１２】
また好ましくは、接続管は、流体を流通させるための流体通路を形成する第１管部材と、高剛性部に設けられ、第１管部材の外周上に配置される第２管部材とを有する。このように構成された血圧計によれば、簡易な構成で、他の区間よりも接続管の長手方向に沿った曲げ剛性が大きくなる高剛性部を設けることができる。
【００１３】
また好ましくは、接続管は、相対的に大きい曲げ剛性を有し、高剛性部に設けられる第３管部材と、相対的に小さい曲げ剛性を有し、第３管部材に連結される第４管部材とを有する。このように構成された血圧計によれば、簡易な構成で、他の区間よりも接続管の長手方向に沿った曲げ剛性が大きくなる高剛性部を設けることができる。
【００１４】
また好ましくは、接続管の長手方向に間隔を隔てた位置に、複数の高剛性部が設けられる。このように構成された血圧計によれば、接続管の全長が長い場合であっても、接続管をコンパクトにまとめることができる。
【００１５】
また好ましくは、高剛性部の長さは、筒形状の軸方向におけるカフの長さ以上である。このように構成された血圧計によれば、カフの内側に高剛性部を挿入する場合に、カフ内部にまとめられる接続管の全長をより長く設定することができる。
【００１６】
また好ましくは、高剛性部とカフとの間における接続管の長さは、筒形状の軸方向におけるカフの長さ以上である。このように構成された血圧計によれば、カフの内側に高剛性部を挿入する場合に、カフ内部にまとめられる接続管の全長をより長く設定することができる。
【００１７】
また好ましくは、接続管がカフから延出する位置は、筒形状の軸方向におけるカフの中心に配置される。このように構成された血圧計によれば、カフの内側に高剛性部を挿入する場合に、その挿入方向にかかわらず、カフ内部に一定長さの接続管をまとめることができる。
【００１８】
また好ましくは、高剛性部は、接続管の長手方向における一端が把持された場合に略直線状に形状が保持される曲げ剛性を有する。このように構成された血圧計によれば、カフの内側に高剛性部を挿入する場合に、その挿入作業が行い易くなる。
【発明の効果】
【００１９】
以上説明したように、この発明に従えば、簡易な構成で、カフと本体ケースとを接続する接続管の収容性が向上される血圧計を提供することができる。
【発明を実施するための最良の形態】
【００２０】
この発明の実施の形態について、図面を参照して説明する。なお、以下で参照する図面では、同一またはそれに相当する部材には、同じ番号が付されている。
【００２１】
（実施の形態１）
図１は、この発明の実施の形態１における血圧計を示す斜視図である。図１を参照して、血圧計１００は、装置本体１１０、カフ１５０およびエア管３１を有する。血圧計１００は、カフ１５０が被験者の上腕に装着される上腕式血圧計である。装置本体１１０とカフ１５０とは、分離して設けられており、血圧値の測定時において、装置本体１１０は机などの載置面に載置されて使用される。装置本体１１０とカフ１５０との間は、エア管３１により接続されている。
【００２２】
装置本体１１０は、表示部１１４、操作部１１５および本体ケース２１を有する。表示部１１４には、血圧値の測定結果や脈拍数の測定結果などが、数値やグラフなどを用いて視認可能に表示される。表示部１１４としては、たとえば液晶パネルが利用される。操作部１１５には、電源ボタンや測定開始ボタン、過去の測定記録を呼び出すための記録呼び出しボタンなどの各種ボタンが設けられている。表示部１１４および操作部１１５は、本体ケース２１に設けられている。
【００２３】
本体ケース２１は、装置本体１１０の外郭をなす筐体形状を有する。本体ケース２１には、エア管３１とともにカフ１５０を収容するためのカフ収容部２３が形成されている。本体ケース２１は、カフ収容部２３を覆うように設けられ、開閉自在な蓋部材２７を有する。
【００２４】
カフ１５０は、帯状の外形を有する。カフ１５０を帯状の長手方向に沿って湾曲させることにより、筒形状の形態とすることが可能である。カフ１５０は、血圧測定時、被験者の上腕の周囲に巻き付けられる。カフ１５０は、空気が供給される空気袋１５１と、空気袋１５１を上腕に巻き付けて固定するための袋状カバー体１５３とを有する。空気袋１５１は、袋状カバー体１５３の内部に設けられた空間に収容されている。カフ１５０は、袋状カバー体１５３が筒形状に巻かれた状態でカフ収容部２３に収容される。
【００２５】
エア管３１は、内部に空気が流通可能な管部材により形成されている。エア管３１の一端は、装置本体１１０に設けられる後述の血圧測定用エア系コンポーネント１３１（図２参照）に接続され、他端は、空気袋１５１に接続されている。
【００２６】
次に、血圧計１００の主要な機能ブロックの構成について説明する。図２は、図１中の血圧計の構成を示す機能ブロック図である。
【００２７】
図２を参照して、血圧計１００の装置本体１１０の内部には、血圧計用のカフ１５０に内包された空気袋１５１にエア管３１を介して空気を供給または排出するための血圧測定用エア系コンポーネント１３１が設けられている。血圧測定用エア系コンポーネント１３１は、空気袋１５１内の圧力を検出する圧力検出手段である圧力センサ１３２と、空気袋１５１を膨縮させるための膨縮手段１３３であるポンプ１３４および弁１３５とを有する。装置本体１１０の内部には、血圧測定用エア系コンポーネント１３１に関連して発振回路１２５、ポンプ駆動回路１２６および弁駆動回路１２７が設けられている。
【００２８】
装置本体１１０には、各部を集中的に制御および監視するためのＣＰＵ（Central Processing Unit）１２２と、ＣＰＵ１２２に所定の動作をさせるプログラムや測定された血圧値などの各種情報を記憶するためのメモリ部１２３と、血圧測定結果を含む各種情報を表示するための表示部１１４と、測定のための各種指示を入力するために操作される操作部１１５と、ＣＰＵ１２２および各機能ブロックに電力を供給するための電源部１２４とが設けられている。ＣＰＵ１２２は、血圧値を算出するための血圧値算出手段としても機能する。
【００２９】
圧力センサ１３２は、空気袋１５１内の圧力（以下、「カフ圧」という）を検出し、検出した圧力に応じた信号を発振回路１２５に出力する。ポンプ１３４は、エア管３１を通じて空気袋１５１に空気を供給する。弁１３５は、空気袋１５１内の圧力を維持したり、空気袋１５１内の空気を排出したりする際に開閉する。発振回路１２５は、圧力センサ１３２の出力値に応じた発振周波数の信号をＣＰＵ１２２に出力する。ポンプ駆動回路１２６は、ポンプ１３４の駆動をＣＰＵ１２２から与えられる制御信号に基づいて制御する。弁駆動回路１２７は、弁１３５の開閉制御をＣＰＵ１２２から与えられる制御信号に基づいて行なう。
【００３０】
次に、血圧計１００における血圧測定処理の流れについて説明する。図３は、図１中の血圧計の血圧測定処理の流れを示すフローチャートである。このフローチャートに従うプログラムは、図２において示したメモリ部１２３に予め記憶されており、ＣＰＵ１２２がメモリ部１２３からこのプログラムを読出して実行することにより、血圧測定処理が実施される。
【００３１】
図２および図３を参照して、被験者が血圧計１００の操作部１１５の操作ボタンを操作して電源をオンにすると、血圧計１００の初期化がなされる（ステップＳ１）。次に、測定可能状態になると、ＣＰＵ１２２はポンプ１３４の駆動を開始し、空気袋１５１のカフ圧を徐々に上昇させる（ステップＳ２）。カフ圧を徐々に加圧する過程において、カフ圧が血圧測定のために必要な所定のレベルにまで達すると、ＣＰＵ１２２はポンプ１３４を停止し、次いで閉じていた弁１３５を徐々に開いて空気袋１５１の空気を徐々に排気し、カフ圧を徐々に減圧させる。このカフ圧の微速減圧過程においてカフ圧の検出が行なわれる（ステップＳ３）。
【００３２】
次に、ＣＰＵ１２２は、公知の手順で収縮期血圧値（最高血圧値）および拡張期血圧値（最低血圧値）を算出する（ステップＳ４）。具体的には、カフ圧が徐々に減圧する過程において、ＣＰＵ１２２は発振回路１２５から得られる発振周波数に基づき脈波情報を抽出する。そして、抽出された脈波情報により血圧値を算出する。ステップＳ４において血圧値が算出されると、算出された血圧値を表示部１１４に表示する（ステップＳ５）。
【００３３】
なお、以上において説明した測定方式は、空気袋の減圧時に脈波を検出して血圧値を算出するいわゆる減圧測定方式に基づいたものであるが、空気袋の加圧時に脈波を検出して血圧値を算出するいわゆる加圧測定方式を採用することも当然に可能である。
【００３４】
次に、図１中の血圧計１００が有するエア管３１の構造について詳細な説明を行なう。図１を参照して、エア管３１の、カフ１５０と本体ケース２１との間の一部区間には、高剛性部３５が設けられ、他の区間には、低剛性部３３が設けられている。エア管３１は、本体ケース２１から延出する第１端部３１ｐと、エア管３１の長手方向において第１端部３１ｐの反対側に配置され、カフ１５０から延出する第２端部３１ｑとを有する。高剛性部３５は、第１端部３１ｐおよび第２端部３１ｑから距離を隔てた区間に配置されている。
【００３５】
低剛性部３３は、ケース側低剛性部３３ｍおよびカフ側低剛性部３３ｎを含んで構成されている。ケース側低剛性部３３ｍおよびカフ側低剛性部３３ｎは、それぞれ第１端部３１ｐおよび第２端部３１ｑを有する。ケース側低剛性部３３ｍとカフ側低剛性部３３ｎとの間の区間に、高剛性部３５が配置されている。
【００３６】
図４は、図１中のエア管を示す断面図である。図１および図４を参照して、エア管３１は、エア管３１のその長手方向に沿った曲げ剛性が、高剛性部３５において相対的に大きくなり、低剛性部３３において相対的に小さくなるように形成されている。すなわち、一定長さの高剛性部３５および低剛性部３３を取り出した場合に、高剛性部３５は、低剛性部３３よりも、曲げ方向の力に対して変形し難い特性を有する。
【００３７】
高剛性部３５は、略直線状に延伸する形状を有する。好ましくは、高剛性部３５は、エア管３１の長手方向における一端が把持された場合に略直線状に形状が保持される曲げ剛性を有する。高剛性部３５は、ユーザによって外力が加えられた時に撓む程度に可撓性を有してもよい。一方、低剛性部３３は、可撓性を有し、エア管３１の長手方向に沿って湾曲自在に設けられている。
【００３８】
本実施の形態では、エア管３１が、第１管部材としての軟質チューブ４１と、第２管部材としての硬質チューブ４２とを有する。硬質チューブ４２は、軟質チューブ４１よりも高い硬度を有する材料から形成され、軟質チューブ４１よりも大きい曲げ剛性を有する。
【００３９】
軟質チューブ４１は、第１端部３１ｐと第２端部３１ｑとの間で延びている。硬質チューブ４２は、高剛性部３５に設けられ、軟質チューブ４１の外周上に配置されている。軟質チューブ４１の内部には、空気を流通させるための流体通路としての空気流路３６が形成されている。このような構成により、高剛性部３５は、軟質チューブ４１および硬質チューブ４２により構成されており、低剛性部３３は、軟質チューブ４１により構成されている。
【００４０】
なお、以上においては管形状を有する硬質チューブ４２を用いた場合を説明したが、一方向に開口するＣ字状の断面形状を有する硬質チューブを、軟質チューブ４１の外周に嵌め合わせる構成としてもよい。
【００４１】
図５は、図４中に示すエア管の変形例を示す断面図である。図５を参照して、本変形例では、エア管３１が、第３管部材としての硬質チューブ４７と、第４管部材としての軟質チューブ４６ｍ，４６ｎとを有する。硬質チューブ４７は、軟質チューブ４６ｍ，４６ｎよりも高い硬度を有する材料から形成され、軟質チューブ４６ｍ，４６ｎよりも高い曲げ剛性を有する。
【００４２】
硬質チューブ４７は、高剛性部３５に設けられている。軟質チューブ４６ｍおよび軟質チューブ４６ｎは、それぞれ、ケース側低剛性部３３ｍおよびカフ側低剛性部３３ｎに設けられており、高剛性部３５の両端に連結されている。硬質チューブ４７の内部および軟質チューブ４６ｍ，４６ｎの内部には、それぞれ空気を流通させるための空気流路３６が形成されている。このような構成により、本変形例では、高剛性部３５が、硬質チューブ４７により構成されており、低剛性部３３が、軟質チューブ４６ｍ，４６ｎにより構成されている。
【００４３】
なお、高剛性部３５と低剛性部３３との間でエア管３１の曲げ剛性に差を設ける手段は、チューブを形成する材料の硬度に限られない。曲げ剛性に差を設ける手段は、たとえば、チューブの肉厚や断面形状であってもよい。曲げ剛性に差を設ける手段は、図４中に示すように、空気流路３６を形成する管部材に対して外的に設けられてもよいし、図５中に示すように、空気流路３６を形成する管部材自身に設けられてもよい。
【００４４】
図６は、図１中の血圧計の使用時の状態を模式的に表わした側面図である。図６を参照して、カフ１５０は、筒形状の軸方向における両端に配置され、開口面が形成される第１端部１５０ｐおよび第２端部１５０ｑを有する。
【００４５】
本実施の形態では、エア管３１の長手方向における高剛性部３５の長さＬ１が、カフ１５０の筒形状の軸方向における長さ、すなわち第１端部１５０ｐと第２端部１５０ｑとの間の長さＬ３以上に設定される（Ｌ１≧Ｌ３）。また、エア管３１の長手方向におけるカフ側低剛性部３３ｎの長さＬ２は、カフ１５０の軸方向における長さＬ３以上に設定される（Ｌ２≧Ｌ３）。
【００４６】
図７は、図１中の血圧計の未使用時の状態を模式的に表わした側面図である。図７を参照して、血圧計１００による血圧測定が終了したら、筒形状を有するカフ１５０の内側にエア管３１が収容される。
【００４７】
この際、ユーザは、高剛性部３５をカフ１５０の内側に差し込むことによって、カフ１５０と高剛性部３５との間のカフ側低剛性部３３ｎを高剛性部３５に追従させて、カフ１５０の内側に挿入することができる。つまり、ユーザは、エア管３１を束ねてカフ１５０の内側に挿入するという意識がなくても、高剛性部３５をカフ１５０の内側に差し込むという作業によって、自動的にエア管３１をカフ１５０内部に収容することができる。また、ユーザが血圧測定のための準備を行なう際も、高剛性部３５を引き抜くだけで、エア管３１をカフ１５０の内側から取り出すことができる。このため、エア管３１の収容時および取り出し時の作業を、一連の動作により簡便に行なうことができる。
【００４８】
また、高剛性部３５を基点にエア管３１がカフ１５０内部に収められるため、収容時のエア管３１が折り曲げられたり、捩り曲げられたりすることを防止できる。このため、エア管３１の破損をより確実に防ぐことができる。
【００４９】
また、本実施の形態では、高剛性部３５の長さＬ１が、カフ１５０の軸方向における長さＬ３以上に設定され、さらにカフ側低剛性部３３ｎの長さＬ２は、カフ１５０の軸方向における長さＬ３以上に設定されている。このような構成により、カフ１５０内部に収容可能なエア管３１の全長をより長く設定することができる。加えて、エア管３１の長手方向におけるカフ側低剛性部３３ｎの長さＬ２が、エア管３１の長手方向における高剛性部３５の長さＬ１以上に設定されてもよい。この場合、カフ側低剛性部３３ｎの長さに影響を受けず、高剛性部３５を確実にカフ１５０の内側に収めることができる。
【００５０】
また、本実施の形態では、高剛性部３５とカフ１５０との間に、エア管３１の長手方向に沿って湾曲自在なカフ側低剛性部３３ｎが設けられている。このため、血圧測定中、硬直的に設けられた高剛性部３５からカフ１５０を装着した上腕に予期しないテンションがかかることを防止できる。これにより、測定精度の確保やユーザへの負担の軽減を図ることができる。
【００５１】
図８は、図１中の血圧計の変形例を示す側面図である。図８は、図７に対応する図である。図８を参照して、本変形例では、カフ１５０から延出するエア管３１の第２端部３１ｑが、カフ１５０の筒形状の軸方向における中心に配置されている。このような構成により、ユーザは、第１端部１５０ｐおよび第２端部１５０ｑのいずれから高剛性部３５をカフ１５０の内側に挿入するかにかかわらず、同等の長さのエア管３１をカフ１５０に収容することができる。
【００５２】
なお、エア管３１の第２端部３１ｑが第１端部１５０ｐのより近くに配置された図７中に示す形態では、ユーザは、高剛性部３５を第１端部１５０ｐから挿入することによって、所望の長さのエア管３１をカフ１５０内部に収容することができる。この場合に、ユーザが高剛性部３５を挿入する側を容易に認識できるように、第１端部１５０ｐにマーキングが設けられてもよい。
【００５３】
この発明の実施の形態１における血圧計１００は、流体としての空気が供給される膨縮可能な流体袋としての空気袋１５１を有し、筒形状の形態を取ることが可能なカフ１５０と、空気袋１５１を膨縮させる膨縮機構部としての血圧測定用エア系コンポーネント１３１を収容する本体ケース２１と、空気袋１５１と血圧測定用エア系コンポーネント１３１との間を接続し、空気を流通させるための接続管としてのエア管３１とを備える。エア管３１の、カフ１５０と本体ケース２１との間の一部区間には、他の区間よりもエア管３１の長手方向に沿った曲げ剛性が大きくなる高剛性部３５が設けられる。
【００５４】
このように構成された、この発明の実施の形態１における血圧計１００によれば、高剛性部３５に追従させて低剛性部３３を取り扱うことが可能となり、エア管３１を容易にコンパクトにまとめることができる。これにより、エア管３１の収容性を向上させることができる。また、エア管３１に高剛性部３５を設けるだけで上記効果が得られるため、血圧計１００を、簡易な構造とし、低コストに製造することができる。
【００５５】
なお、本実施の形態では、エア管３１が一体にまとめられたカフ１５０を本体ケース２１のカフ収容部２３に収容する血圧計について説明したが、これに限られず、たとえば、エア管３１が一体にまとめられたカフ１５０を、装置本体１１０を収容するためのソフトケースに収容する血圧計であってもよい。
【００５６】
また、本実施の形態では、本発明を上腕式の血圧計に適用した場合を説明したが、たとえば、手首式の血圧計であっても本体ケースとカフとがエア管により接続されるタイプであれば、本発明を適用することが可能である。
【００５７】
（実施の形態２）
図９は、この発明の実施の形態２における血圧計の使用時の状態を模式的に表わした側面図である。本実施の形態における血圧計は、実施の形態１における血圧計と比較して、基本的には同様の構造を備える。以下、重複する構造についてはその説明を繰り返さない。
【００５８】
図９を参照して、本実施の形態では、エア管３１に高剛性部３５ｍおよび高剛性部３５ｎが設けられている。高剛性部３５ｍと高剛性部３５ｎとは、エア管３１の長手方向に間隔を隔てた位置に配置されている。高剛性部３５ｍと高剛性部３５ｎとの間は、低剛性部３３ｇにより連結されている。本体ケース２１と高剛性部３５ｍとの間が、ケース側低剛性部３３ｍにより連結され、高剛性部３５ｎとカフ１５０との間が、カフ側低剛性部３３ｎにより連結されている。
【００５９】
図１０は、図９中の血圧計の未使用時の状態を模式的に表わした側面図である。図１０を参照して、本実施の形態では、ユーザは、高剛性部３５ｍと高剛性部３５ｎとを束ねてカフ１５０の内側に挿入することにより、エア管３１をカフ１５０内部に収容する。このような構成により、エア管３１の全長が長い血圧計であっても、エア管３１をコンパクトにカフ１５０内部に収容することができる。
【００６０】
図１１は、図９中の血圧計の変形例を示す斜視図である。図１１を参照して、本変形例では、本体ケース２１に、カフ１５０を収容するためのカフ収容部２３と、エア管３１を収容するためのエア管収容部２５とが別々に形成されている。ユーザは、高剛性部３５ｍと高剛性部３５ｎとを束ねてエア管収容部２５に載置することにより、エア管３１をコンパクトに本体ケース２１に収容する。
【００６１】
このように構成された、この発明の実施の形態２における血圧計によれば、実施の形態１に記載の効果を同様に得ることができる。
【００６２】
なお、本実施の形態では、エア管３１に高剛性部３５ｍおよび高剛性部３５ｎが設けられる場合を説明したが、３つ以上の高剛性部が低剛性部によって連結された形態で設けられてもよい。また、実施の形態１および２で説明した血圧計の構造を適宜組み合わせて、新たな血圧計を構成してもよい。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】この発明の実施の形態１における血圧計を示す斜視図である。
【図２】図１中の血圧計の構成を示す機能ブロック図である。
【図３】図１中の血圧計の血圧測定処理の流れを示すフローチャートである。
【図４】図１中のエア管を示す断面図である。
【図５】図４中に示すエア管の変形例を示す断面図である。
【図６】図１中の血圧計の使用時の状態を模式的に表わした側面図である。
【図７】図１中の血圧計の未使用時の状態を模式的に表わした側面図である。
【図８】図１中の血圧計の変形例を示す側面図である。
【図９】この発明の実施の形態２における血圧計の使用時の状態を模式的に表わした側面図である。
【図１０】図９中の血圧計の未使用時の状態を模式的に表わした側面図である。
【図１１】図９中の血圧計の変形例を示す斜視図である。
【符号の説明】
【００６５】
２１  本体ケース、３１  エア管、３３  低剛性部、３５，３５ｍ，３５ｎ  高剛性部、４１，４６ｍ，４６ｎ  軟質チューブ、４２，４７  硬質チューブ、１００  血圧計、１３１  血圧測定用エア系コンポーネント、１５０  カフ、１５１  空気袋。
【図１】
2009225864.tif 000003
【図２】
2009225864.tif 000004
【図３】
2009225864.tif 000005
【図４】
2009225864.tif 000006
【図５】
2009225864.tif 000007
【図６】
2009225864.tif 000008
【図７】
2009225864.tif 000009
【図８】
2009225864.tif 000010
【図９】
2009225864.tif 000011
【図１０】
2009225864.tif 000012
【図１１】
2009225864.tif 000013